(57)【要約】  【課題】二つの電磁アクチュエータのボビン部を一つの固定子枠に一体成形することにより、地板に対する取付け作業の容易性と、装置のコンパクト化を可能にしたカメラ用羽根駆動装置を提供すること。  【解決手段】シャッタ羽根１２を回転させる回転子３と、絞り羽根１１を回転させる回転子４は、各々、回転子取付軸１ｄ，１ｅに回転可能に取り付けられている。固定子枠５は、中間構成体部５ａと、その両側に形成されたボビン部５ｂ，５ｃと、さらにその両側に形成された板状部５ｄ，５ｅとからなっていて、板状部５ｄ，５ｅの孔５ｄ−１，５ｅ−１を固定子枠取付軸１ｂ，１ｃに嵌合させ、熱カシメによって地板１に固定されている。また、ヨーク８，９は２部品からなっていて、それらを、中間構成体部５ａの取付孔５ａ−２の中で接触させ、各々、Ｕ字形となるようにしている。【選択図】  図３
2010085436.tif 000002
【特許請求の範囲】
【請求項１】
各々が撮影光路用の開口部を有していて相互に固定されており両者の間に構成した少なくとも一つの羽根室に第１羽根と第２羽根とを配置している地板及びカバー板と、永久磁石を有していて前記地板の羽根室外の面に回転可能に取り付けられており前記羽根室内に貫通させた出力ピンによって前記第１羽根を往復作動させる第１回転子と、永久磁石を有していて前記地板の羽根室外の面に回転可能に取り付けられており前記羽根室内に貫通させた出力ピンによって前記第２羽根を往復作動させる第２回転子と、中間構成体部を間にした一方の側に第１コイルを巻回した筒形状の第１ボビン部を有し他方の側に第２コイルを巻回した筒形状の第２ボビン部を有していてさらに該第１ボビン部の先には第１板状部を有し該第２ボビン部の先には第２板状部を有しており該二つの板状部で前記地板の羽根室外の面に固定されている固定子枠と、基部と二つの脚部とからなる略Ｕ字形をしていて一方の脚部を前記第１ボビン部に貫通させており二つの脚部の先端を磁極部とし前記第１板状部側で前記第１回転子の周面に対向させている第１ヨークと、基部と二つの脚部とからなる略Ｕ字形をしていて一方の脚部を前記第２ボビン部に貫通させており二つの脚部の先端を磁極部とし前記第２板状部側で前記第２回転子の周面に対向させている第２ヨークと、を備えていることを特徴とするカメラ用羽根駆動装置。
【請求項２】
前記第１ボビン部と前記第２ボビン部とは、両者の筒形状の中心線が略直線になるように形成されており、前記第１ヨークと前記第２ヨークとは、いずれも、前記一方の脚部だけと、前記基部及び他方の脚部との２部品に分離されていて、前記一方の脚部と前記基部とは、前記中間構成体部の内部において、接触状態を維持されているようにしたことを特徴とする請求項１に記載のカメラ用羽根駆動装置。
【請求項３】
前記第１ボビン部と前記第２ボビン部とは、両者の筒形状の中心線が略平行になるように形成されており、前記第１ヨークは、前記一方の脚部を、前記中間構成体部側から前記第１ボビン部に貫通させ、前記第２ヨークは、前記一方の脚部を、前記中間構成体部側から前記第２ボビン部に貫通させているようにしたことを特徴とする請求項１に記載のカメラ用羽根駆動装置。
【請求項４】
前記中間構成体部と前記二つの板状部には、各々端子ピンが立設されていて、前記第１コイルの両端は、前記第１板状部に立設されている端子ピンと前記中間構成体部に立設されている端子ピンに巻き付けられ、前記第２コイルの両端は、前記第２板状部に立設されている端子ピンと前記中間構成体部に立設されている前記端子ピンに巻き付けられるようにしたことを特徴とする請求項１乃至３のいずれかに記載のカメラ用羽根駆動装置。
【請求項５】
前記第１羽根が、１枚のシャッタ羽根であって、前記第２羽根が、１枚の絞り羽根又は１枚のフィルタ羽根であることを特徴とする請求項１乃至４のいずれかに記載のカメラ用羽根駆動装置。
【請求項６】
前記第１羽根が、同時に相反する方向へ往復作動させられる２枚のシャッタ羽根であって、前記第２羽根が、１枚の絞り羽根又は１枚のフィルタ羽根であることを特徴とする請求項１乃至４のいずれかに記載のカメラ用羽根駆動装置。
【発明の詳細な説明】
【技術分野】
【０００１】
本発明は、別々の電磁アクチュエータによって２種類の羽根を個別に往復作動させるようにしたカメラ用羽根駆動装置に関する。
【背景技術】
【０００２】
カメラ用の羽根駆動装置としては、レンズシャッタ装置，フォーカルプレンシャッタ装置，絞り装置，フィルタ装置，レンズバリア装置が知られているが、それらのうち、レンズシャッタ装置（以下、単に、シャッタ装置という），絞り装置，フィルタ装置の場合には、単独でユニット化されることもあるが、それらのうちの二つを一つのユニットとして構成されることがある。そして、そのようにユニット化した場合には、二つの装置の羽根は、別々の電磁アクチュエータによって往復作動させられるのが普通であるが、それらの羽根は、同じ羽根室に配置されることもあるし、別々の羽根室に配置されることもある。
【０００３】
また、電磁アクチュエータの構成としては、種々のタイプのものが知られているが、装置全体を偏平に構成するのに有利なものとして、下記の特許文献１に記載されている電磁アクチュエータが知られている。この電磁アクチュエータは、ヨークが、基部と二つの脚部とで略Ｕ字形に形成されていて、それらの脚部の先端を磁極部として、永久磁石を有する回転子の周面に対向させるように構成したものであるが、従来のように、一方の脚部を、コイルを巻回した単独のボビン部材に貫通させるのではなく、地板との間にアクチュエータ室を構成するための固定子枠にボビン部を一体成形し、一方の脚部を、そのボビン部に貫通させた状態にして、固定子枠と一緒に地板に取り付けられるようにしたことが特徴的な構成になっている。本発明は、このような構成をした二つの電磁アクチュエータによって、種類の異なる羽根を別々に往復作動させるようにしたカメラ用羽根駆動装置に関するものである。
【０００４】
【特許文献１】特開２００４−３２８７３号公報
【発明の開示】
【発明が解決しようとする課題】
【０００５】
ところで、特許文献１に記載されている電磁アクチュエータは、固定子枠を地板に取り付けるに際し、ボビン部の両側に形成されている二つの板状部を、二つのネジによって固定している。また、最近では、ネジを用いず、熱カシメといわれている方法で固定するのが一般的になってきているが、この場合でも、二つの板状部で地板に取り付けている。そのため、上記したように、地板に対して二つの電磁アクチュエータを取り付ける場合には、二つの固定子枠が必要になるし、地板に対して４箇所での取付け作業が必要になるので、コスト面での改善が望まれている。また、二つの電磁アクチュエータを近接させて配置したい場合、地板への取付け箇所が問題になって、固定子枠の形状や配置に苦慮しなければならないという問題点もある。
【０００６】
本発明は、このような問題点を解決するためになされたものであり、その目的とするところは、二つの電磁アクチュエータによって２種類の羽根を個別に往復作動させるようにしたカメラ用羽根駆動装置において、二つの電磁アクチュエータのボビン部を一つの固定子枠に一体成形すると共に、地板に対する取付け箇所を２箇所にしたことによって、二つの電磁アクチュエータの低コスト化とコンパクト化を可能にしたカメラ用羽根駆動装置を提供することである。
【課題を解決するための手段】
【０００７】
上記の目的を達成するために、本発明のカメラ用羽根駆動装置は、各々が撮影光路用の開口部を有していて相互に固定されており両者の間に構成した少なくとも一つの羽根室に第１羽根と第２羽根とを配置している地板及びカバー板と、永久磁石を有していて前記地板の羽根室外の面に回転可能に取り付けられており前記羽根室内に貫通させた出力ピンによって前記第１羽根を往復作動させる第１回転子と、永久磁石を有していて前記地板の羽根室外の面に回転可能に取り付けられており前記羽根室内に貫通させた出力ピンによって前記第２羽根を往復作動させる第２回転子と、中間構成体部を間にした一方の側に第１コイルを巻回した筒形状の第１ボビン部を有し他方の側に第２コイルを巻回した筒形状の第２ボビン部を有していてさらに該第１ボビン部の先には第１板状部を有し該第２ボビン部の先には第２板状部を有しており該二つの板状部で前記地板の羽根室外の面に固定されている固定子枠と、基部と二つの脚部とからなる略Ｕ字形をしていて一方の脚部を前記第１ボビン部に貫通させており二つの脚部の先端を磁極部とし前記第１板状部側で前記第１回転子の周面に対向させている第１ヨークと、基部と二つの脚部とからなる略Ｕ字形をしていて一方の脚部を前記第２ボビン部に貫通させており二つの脚部の先端を磁極部とし前記第２板状部側で前記第２回転子の周面に対向させている第２ヨークと、を備えているようにする。
【０００８】
その場合、前記第１ボビン部と前記第２ボビン部とは、両者の筒形状の中心線が略直線になるように形成されており、前記第１ヨークと前記第２ヨークとは、いずれも、前記一方の脚部だけと、前記基部及び他方の脚部との２部品に分離されていて、前記一方の脚部と前記基部とは、前記中間構成体部の内部において、接触状態を維持されているようにすると、装置全体がコンパクトになる。
【０００９】
また、前記第１ボビン部と前記第２ボビン部とは、両者の筒形状の中心線が略平行になるように形成されており、前記第１ヨークは、前記一方の脚部を、前記中間構成体部側から前記第１ボビン部に貫通させ、前記第２ヨークは、前記一方の脚部を、前記中間構成体部側から前記第２ボビン部に貫通させているようにしてもよい。
【００１０】
また、前記中間構成体部と前記二つの板状部には、各々一つずつの端子ピンが立設されていて、前記第１コイルの両端は、前記第１板状部に立設されている端子ピンと前記中間構成体部に立設されている端子ピンに巻き付けられ、前記第２コイルの両端は、前記第２板状部に立設されている端子ピンと前記中間構成体部に立設されている前記端子ピンに巻き付けられるようにすると、端子ピンの数を従来より減らすことが出来るし、電気的に接続されるフレキシブルプリント配線板も簡単なものになる。
【００１１】
更に、本発明のカメラ用羽根駆動装置は、前記第１羽根が、１枚のシャッタ羽根であって、前記第２羽根が、１枚の絞り羽根又は１枚のフィルタ羽根であるようにしてもよいし、前記第１羽根が、同時に相反する方向へ往復作動させられる２枚のシャッタ羽根であって、前記第２羽根が、１枚の絞り羽根又は１枚のフィルタ羽根であるようにしてもよい。
【発明の効果】
【００１２】
本発明は、二つの電磁アクチュエータによって２種類の羽根を個別に往復作動させるようにしたカメラ用羽根駆動装置において、二つの電磁アクチュエータのボビン部を一つの固定子枠に一体成形するようにして、地板に対する取付け箇所を２箇所にしたので、地板に対する取付け作業が容易になると共に、二つの電磁アクチュエータを近接して配置するのに有利になる。
【発明を実施するための最良の形態】
【００１３】
本発明の実施の形態を、図示した二つの実施例によって説明する。本発明のカメラ用羽根駆動装置は、上記したように、シャッタ装置，絞り装置，フィルタ装置のうちの二つの装置をユニット化したカメラ用羽根駆動装置であるが、各実施例は、１枚のシャッタ羽根を備えたシャッタ装置と、１枚の絞り羽根を備えた絞り装置とを一つのユニットとして構成したものである。そのため、その他の態様については、実施例の説明中で適宜説明することにする。尚、図面は、図１〜図５が、実施例１を説明するためのものであり、図６〜図８が、実施例２を説明するためのものである。
【実施例１】
【００１４】
本実施例は、上記したように、１枚のシャッタ羽根を備えたシャッタ装置と、１枚の絞り羽根を備えた絞り装置とを一つのユニットとして構成したカメラ用羽根駆動装置である。そして、説明に用いる図面は、図１が、撮影待機状態を示した正面図であり、図２が、フレキシブルプリント配線板を取り付ける前の状態で示した正面図である。また、図３は、本実施例の分解斜視図である。更に、図４は、図１の背面図であり、図５は、撮影終了直後の状態を示した背面図である。尚、図４は、カバー板２の一部を破断して示してあり、図５は、カバー板２を取り付ける前の状態で示してある。
【００１５】
そこで先ず、本実施例の構成を主に図３を用いて説明する。地板１は、合成樹脂製であって平面外形形状は長方形であり、光軸を中心にして円形をした撮影光路用の開口部１ａを有している。地板１の背面側には、地板１よりも薄く且つ平面外形形状の略同じカバー板２が、後述する手段によって取り付けられ、両者の間に羽根室を構成している。そして、このカバー板２にも、光軸を中心にして円形をした撮影光路用の開口部２ａが形成されているが、上記の開口部１ａの方が直径が小さいので、本実施例の場合には、地板１の開口部１ａが、露光開口を規制している。
【００１６】
羽根室とは反対側になる地板１の面には、一方の短辺側に寄せて二つの電磁アクチュエータが取り付けられている。先ず、図３に示されているように、地板１には、二つの固定子枠取付軸１ｂ，１ｃと、二つの回転子取付軸１ｄ，１ｅと、一つのＦＰＣ取付軸１ｆとが立設されている。そして、回転子取付軸１ｄ，１ｅには、回転子３，４が回転可能に取り付けられている。
【００１７】
回転子３，４は、全く同じ構成をしており、円筒形をした永久磁石製の本体部３ａ，４ａと、それらの本体部３ａ，４ａに一体成形されていて径方向に張り出している合成樹脂製の腕部３ｂ，４ｂと、それらの腕部３ｂ，４ｂの先端に形成された出力ピン３ｃ，４ｃとからなっている。そして、本体部３ａ，４ａは、径方向へ２極に着磁されており、出力ピン３ｃ，４ｃを、図３では分かりにくいので図５に明記してあるように、地板１に形成された円弧状の逃げ孔１ｇ，１ｈから羽根室内に挿入している。尚、本実施例では、腕部３ｂ，４ｂを合成樹脂製にしているが、本体部３ａ，４ａと共に永久磁石製とすることも知られている。
【００１８】
固定子枠５は、合成樹脂製であって、中間構成体部５ａの両側には筒形状をしたボビン部５ｂ，５ｃが、それらの中心線が略一つの直線上にあるように形成されており、さらにその両側に板状部５ｄ，５ｅが形成されている。そして、中間構成体部５ａと二つの板状部５ｄ，５ｅには端子ピン５ａ−１，５ｄ−１，５ｅ−１が立設されていて、中間構成体部５ａには、図３において、右下方から左上方に貫通した取付孔５ａ−２が形成されているが、この取付孔５ａ−２の中では、地板１に設けられた間座部１ｘによって、後述するヨーク８，９が接触し合わないようになっている。また、二つの板状部５ｄ，５ｅには、それぞれ取付孔５ｄ−２，５ｅ−２が形成されている。
【００１９】
ボビン部５ｂにはコイル６か巻回されていて、一端を端子ピン５ａ−１に巻き付け、他端を端子ピン５ｄ−１に巻き付けており、また、ボビン部５ｃにはコイル７か巻回されていて、一端を端子ピン５ａ−１に巻き付け、他端を端子ピン５ｅ−１に巻き付けている。即ち、端子ピン５ａ−１は、両方のコイル６，７の端子ピンを兼ねていることになる。
【００２０】
本実施例のヨーク８，９は、いずれも２部品からなっている。先ず、ヨーク８は、基部８ａと脚部８ｂとからなる第１部品と、脚部８ｃだけの第２部品とからなっていて、図３の左上方から、取付孔５ａ−２に基部８ａを挿入し、また、板状部５ｄの裏側からボビン部５ｂに脚部８ｃを挿入して、取付孔５ａ−２内で、基部８ａの挿入端と脚部８ｃの挿入端とを重ね合わせることによって、略Ｕ字形をしたヨーク８が構成されるようになっている。
【００２１】
他方、ヨーク９は、基部９ａと脚部９ｂとからなる第１部品と、脚部９ｃだけの第２部品とからなっていて、図３の左上方から、取付孔５ａ−２に基部９ａを挿入し、また、板状部５ｅの裏側からボビン部５ｃに脚部９ｃを挿入して、取付孔５ａ−２内で、基部９ａの挿入端と脚部９ｃの挿入端とを重ね合わせることによって、略Ｕ字形をしたヨーク９が構成されるようになっている。
【００２２】
このようにして、コイル６，７を巻回し、ヨーク８，９を取り付けた固定子枠５は、取付孔５ｄ−２，５ｅ−２を、固定子枠取付軸１ｂ，１ｃに嵌合させた後、熱カシメといわれている加工方法によって地板１に固定されている。即ち、取付孔５ｄ−２，５ｅ−２を、固定子枠取付軸１ｂ，１ｃに嵌合させた後、取付孔５ｄ−２，５ｅ−２から突き出ている固定子枠取付軸１ｂ，１ｃの先端を熱溶解させ、図１に示されているようなフランジ状に変形させることによって、固定されるようにしている。
【００２３】
そして、固定子枠５の地板１への取付状態においては、板状部５ｄ，５ｅが、回転子取付軸１ｄ，１ｅからの回転子３，４の抜け止めの役目をしており、ヨーク８は、二つの脚部８ｂ，８ｃの先端を磁極部として回転子３の本体部３ａの周面に対向させ、ヨーク９は、二つの脚部９ｂ，９ｃの先端を磁極部として回転子４の本体部４ａの周面に対向させているようになる。
【００２４】
尚、本実施例では、固定子枠５を、熱カシメで固定子枠取付軸１ｂ，１ｃに固定しているが、このような固定方法に限定されることなく、特許文献１に記載されているように、二つのネジによって固定するようにしても差し支えない。いずれにしても、本実施例では、二つの電磁アクチュエータを備えているにもかかわらず、一つの固定子枠５だけで済んでおり、固定箇所も２箇所でよいので、コスト面で有利である上に、二つの電磁アクチュエータがコンパクトにまとまっているという特徴がある。そして、このことは、下記の実施例２の場合も同じである。
【００２５】
このようにして固定子枠５が地板１に取り付けられた後、フレキシブルプリント配線板１０が取り付けられる。本実施例のフレキシブルプリント配線板１０は、ランドに形成された三つの孔１０ａ，１０ｂ，１０ｃと、取付孔１０ｄとを有しており、それらの三つの孔１０ａ，１０ｂ，１０ｃを上記の三つの端子ピン５ａ−１，５ｄ−１，５ｅ−１に嵌合させ、半田付けしている。また、取付孔１０ｄを、地板１のＦＰＣ取付軸１ｆに嵌合させた後、熱カシメによって抜け方向へ移動しないようにされており、それによって、フレキシブルプリント配線板１０の接続端子側を持っても、半田付け箇所に無理な力が掛からないようにしている。このように、本実施例では、端子ピンが三つになっているため、フレキシブルプリント配線板１０も簡単なものになっており、半田付け作業も簡単になるという利点があるが、このことは、下記の実施例２の場合も同じである。
【００２６】
図４及び図５に示されているように、地板１の羽根室側の面には、二つの羽根取付軸１ｉ，１ｊと、一つの位置決めピン１ｋと、四つのストッパ１ｍ，１ｎ，１ｐ，１ｑとが立設されている。また、地板１の左右の端よりも内側に、カバー板２の受け部１ｒ，１ｓが、上下に長く、しかも羽根室側の面より高く形成されていて、それらの受け部１ｒ，１ｓには合計四つのカバー板取付軸１ｔ，１ｕ，１ｖ，１ｗが立設されている。
【００２７】
そして、カバー板２は、図３に示されている孔２ｂを、位置決めピン１ｋに嵌合させながら、四隅に設けられている取付孔をカバー板取付軸１ｔ，１ｕ，１ｖ，１ｗに嵌合させ、その後、熱カシメを行なうことによって、カバー板取付軸１ｔ，１ｕ，１ｖ，１ｗに取り付けられているが、図３に示されているカバー板２には、それらの四つの取付孔のうち、カバー板取付軸１ｔ，１ｕ，１ｗに嵌合させる三つの取付孔２ｃ，２ｄ，２ｅが示されている。
【００２８】
また、上記の二つの羽根取付軸１ｉ，１ｊは、それらの先端を、カバー板２に形成された孔に挿入しているが、図３に示されているカバー板２には、羽根取付軸１ｊに嵌合させる孔２ｆが示されている。更に、上記の四つのストッパ１ｍ，１ｎ，１ｐ，１ｑのうち、二つのストッパ１ｐ，１ｑは、カバー板２に形成された孔に挿入しているが、図３に示されているカバー板２には、それらの孔２ｇ，２ｈが示されている。
【００２９】
地板１とカバー板２との間に構成されている羽根室には、１枚の絞り羽根１１と１枚のシャッタ羽根１２とが、常にそれらの一部が重なっているようにして配置されている。そして、それらのうち、地板１側に配置されている絞り羽根１１は、長孔１１ａと、開口部１ａの直径よりも小さな絞り開口用の開口部１１ｂとを有していて、上記の羽根取付軸１ｉに回転可能に取り付けられている。また、上記の回転子４の出力ピン４ｃは、絞り羽根１１の長孔１１ａに嵌合していて、先端を、上記の逃げ孔１ｈと同じ形状に形成されたカバー板２の逃げ孔２ｉ（図４参照）に挿入している。
【００３０】
また、羽根室内においてカバー板２側に配置されているシャッタ羽根１２は、長孔１２ａを有していて、上記の羽根取付軸１ｊに回転可能に取り付けられているが、図３においては、羽根取付軸１ｊに嵌合させる孔１２ｂも示されている。そして、上記の回転子３の出力ピン３ｃは、シャッタ羽根１２の長孔１２ａに嵌合していて、先端を、上記の逃げ孔１ｇと同じ形状に形成されたカバー板２の逃げ孔２ｊ（図３，図４参照）に挿入している。
【００３１】
次に、本実施例の作動を説明する。図４は、撮影待機状態を示したものである。この状態では、カメラの電源スイッチはオンになっているが、コイル６，７には通電されていない。しかしながら、周知のように、このときには、回転子３，４の本体部３ａ，４ａと、ヨーク８，９の磁極部との間に、本体部３ａ，４ａの磁力が働いていて、回転子３は、反時計方向へ回転するように付勢され、回転子４は、時計方向へ回転するように付勢されている。
【００３２】
そのため、シャッタ羽根１２は、時計方向へ回転するように付勢され、絞り羽根１１は、反時計方向へ回転するように付勢されているが、夫々、ストッパ１ｎ，１ｍによってそれらの回転を阻止されていることによって、この状態が維持されている。従って、この状態では、図示していない固体撮像素子に被写体光が当たっており、撮影者は、モニターによって被写体像を観察することが可能になっている。
【００３３】
撮影に際してレリーズボタンが押されると、その初期段階において、先ず、測光回路によって被写体光が測定され、その結果により、被写体光を減光しないで撮影すると判断された場合には、シャッタ羽根１２だけを作動させるが、被写体光を減光して撮影すると判断された場合には、最初に、絞り羽根１１を作動させておいてから、シャッタ羽根１２を作動させることになる。そのため、後者の場合の作動を理解することができれば、必然的に前者の作動を理解することが可能になるので、以下においては、後者の場合についての作動だけを説明する。
【００３４】
測光回路の測定結果によって、被写体光を減光して撮影すると判断された場合は、最初に、コイル７に対して電流が供給される。それにより、回転子４は反時計方向へ回転させられ、出力ピン４ｃによって絞り羽根１１を時計方向へ回転させる。そして、絞り羽根１１は、その開口部１１ｂの中心が開口部１ａの中心位置までくると、ストッパ１ｐに当接して停止させられる。
【００３５】
その状態になると、固体撮像素子に蓄積されていた電荷が放出されて、撮影が開始され、新たな電荷が固体撮像素子に蓄積されていく。そして、所定の時間が経過すると、露光時間制御回路からの信号によって、コイル６にも電流が供給される。そのため、回転子３が時計方向へ回転させられ、その出力ピン３ｃによって、シャッタ羽根１２を反時計方向へ回転させ、開口部１ａの閉じ作動を行なわせる。その後、開口部１ａを完全に閉鎖すると、シャッタ羽根１２は、その直後に、ストッパ１ｑに当接して停止する。図５は、そのときの状態を示したものであり、この状態で、固体撮像素子に蓄積された電荷が、撮像情報として記憶装置に転送される。
【００３６】
このようにして、撮影が終了すると、今度はコイル６，７に対して、先ほどとは逆方向の電流が供給されるため、図５の状態から、回転子３は反時計方向へ回転させられ、回転子４は時計方向へ回転させられる。そのため、シャッタ羽根１２は、出力ピン３ｃによって時計方向へ回転させられ、絞り羽根１１は、出力ピン４ｃによって反時計方向へ回転させられ、共に開口部１ａから退いていく。そして、開口部１ａを全開にすると、シャッタ羽根１２はストッパ１ｎに当接して停止し、絞り羽根１１はストッパ１ｍに当接して停止する。その後、コイル６，７に対する通電を断つと、図４に示された撮影待機状態に復帰したことになる。
【００３７】
尚、本実施例では、絞り羽根１１とシャッタ羽根１２とを、地板１とカバー板２との間に構成されている一つの羽根室に配置しているが、本発明は、周知のように、地板１とカバー板２との間を中間板で仕切って二つの羽根室を構成し、一方の羽根室に絞り羽根１１を配置し、他方の羽根室にシャッタ羽根１２を配置するようにしても構わない。また、本実施例においては、１枚のシャッタ羽根１２を備えているが、周知のように、一つの電磁アクチュエータによって、同時に相反する方向へ回転させられる２枚のシャッタ羽根を備えるようにしてもよい。
【００３８】
また、本実施例のカメラ用羽根駆動装置は、シャッタ装置と絞り装置とをユニット化したものであるが、本実施例の絞り羽根１１を周知のフィルタ羽根（例えば、本実施例の絞り羽根１１に、開口部１１ｂを覆うようにしてＮＤフィルタシートを取り付けたものなど）に代えれば、シャッタ羽根とフィルタ装置とをユニット化したカメラ用羽根駆動装置になる。また、そのような構成のフィルタ装置と、本実施例のような絞り装置とをユニット化することも可能である。このほか、本発明のカメラ用羽根駆動装置は、絞り開口（本実施例における開口部１１ｂ）の大きさの異なる絞り羽根を備えた二つの絞り装置をユニット化してもよいし、ＮＤフィルタシートの濃度の異なる二つのフィルタ装置をユニット化してもよい。
【００３９】
更に、本実施例においては、地板１の開口部１ａが露光開口を規制するようにしているが、例えば、特開２００７−２７２０２２号公報などで周知のように、地板の開口部を大きくし、地板の羽根室側の面に密着して配置された薄い口径規制板（又は口径板）の開口部で、露光開口を規制するようにしたカメラ用羽根駆動装置が知られている。本発明は、そのような構成のカメラ用羽根駆動装置にも適用することが可能である。そして、ここで述べたすべてのことは、下記の実施例２の場合にも言えることである。
【実施例２】
【００４０】
次に、図６〜図８を用いて実施例２を説明する。本実施例も、上記の実施例１の場合と同様に、１枚のシャッタ羽根を備えたシャッタ装置と、１枚の絞り羽根を備えた絞り装置とを一つのユニットとして構成したカメラ用羽根駆動装置である。そして、図６は、撮影待機状態を示した正面図であり、図７は、フレキシブルプリント配線板を取り付ける前の状態を図６と同様にして示した正面図である。また、図８は、図６の背面図であるが、羽根室内を明示するために、上記の図５の場合と同様に、実施例１におけるカバー板２に相当するカバー板を取り付けていない状態で示してある。
【００４１】
本実施例が、上記の実施例１と異なるのは、主に、実施例１における固定子枠５とヨーク８，９の構成であり、それに伴って、実施例１における地板１，カバー板２，シャッタ羽根１２の形状が部分的に異なっているだけである。そのため、図面においては、固定子枠とヨークには、実施例１の場合と異なる符合を用いているが、その他の部材と部位には、同じ符号を用いている。そして、以下の構成説明では、実施例１の構成との相違点だけを説明することにする。
【００４２】
図６及び図７から分かるように、本実施例の地板１は、平面外形形状が長方形ではなく、実施例１の場合よりも、左下方部が左方に突き出た形状をしている。後述するように、それに伴って、図示していないカバー板の形状も異なり、地板１との間に構成される羽根室のスペースも広くなっている。そして、本実施例の場合も、地板１の開口部１ａが露光開口を規制している。
【００４３】
図７から分かるように、本実施例における固定子枠取付軸１ｂは、実施例１の場合よりも大きく左に寄って立設されており、固定子枠取付軸１ｃは、実施例１の場合よりも若干右へ寄って立設されている。また、実施例１におけるＦＰＣ取付軸１ｆは立設されていない。
【００４４】
図８から分かるように、二つの回転子取付軸１ｄ，１ｅは、回転子取付軸１ｅの立設位置は同じであるが、回転子取付軸１ｄの方は、右方領域に移動している。また、回転子３，４自体の構成は実施例１の場合と同じであるが、回転子取付軸１ｄの位置が移動したことによって、地板１に立設されている羽根取付軸１ｊの位置と、地板１に形成されている逃げ孔１ｇの形成位置も右方へ移動している。それに伴い、受け部１ｓの形状が異なり、カバー板取付軸１ｗの位置も移動されているので、図示していないカバー板の形状も異なっていることになる。また、シャッタ羽根１２の形状も長くなり、ストッパ１ｎ，１ｑの形状や立設位置も変っている。尚、実施例１における位置決めピン１ｋは立設されていない。
【００４５】
図７に示されているように、本実施例の固定子枠１５は、中間構成体部１５ａと、その両側のボビン部１５ｂ，１５ｃと、さらにその両側の板状部１５ｄ，１５ｅとからなっている。しかしながら、本実施例のボビン部１５ｂ，１５ｃは、それらの筒形状の中心線が、実施例１のように略同一直線上にあるように形成されておらず、平行になるように形成されている。そのため、本実施例の固定子枠１５は、全体としてジグザグ状をしている。
【００４６】
また、実施例１においては、中間構成体部５ａに、取付孔５ａ−２が、図２における左右方向の貫通孔として形成されていたが、本実施例の中間構成体部１５ａには、そのような取付孔は形成されていない。そのため、図７では分からないが、ボビン部１５ｂの中空部の上端は、中間構成体部１５ａの地板１側で開放状態になっており、部品単体では、図７の上方から目視できるようになっている。また、同様に、ボビン部１５ｃの場合には、中空部を、図７の下方から目視できるようになっている。従って、本実施例のヨーク１８，１９は、いずれも、１部品で略Ｕ字形に製作されており、ヨーク１８は、一方の脚部を、図７の上方からボビン部１５ｂに挿入し、ヨーク１９も、一方の脚部を、図７の下方からボビン部１５ｃに挿入している。
【００４７】
また、本実施例の場合にも、中間構成体部１５ａに端子ピン１５ａ−１が立設され、二つの板状部１５ｄ，１５ｅにも、端子ピン１５ｄ−１，１５ｅ−１が立設されている。そして、ボビン部１５ｂにはコイル６が巻回されていて、一端を端子ピン１５ａ−１に巻き付け、他端を端子ピン１５ｄ−１に巻き付けており、また、ボビン部１５ｃにはコイル７か巻回されていて、一端を端子ピン１５ａ−１に巻き付け、他端を端子ピン１５ｅ−１に巻き付けている。
【００４８】
更に、本実施例のフレキシブルプリント配線板１０は、固定子枠１５の形状に合わせた形状をしており、実施例１の場合のように、ランドに形成された三つの孔１０ａ，１０ｂ，１０ｃを有しているものの、それらの形成位置は、端子ピン１５ａ−１，１５ｄ−１，１５ｅ−１の形成位置に準じて異なっている。そして、本実施例の場合には、実施例１における取付孔１０ｄを有していない代わりに、明示していないが、地板１の固定子枠取付軸１ｂ，１ｃに対応するところに、夫々取付孔を有している。
【００４９】
このようにして、コイル６，７を巻回し、ヨーク１８，１９を取り付けた本実施例の固定子枠１５と、フレキシブルプリント配線板１０は、次のようにして地板１に固定されている。先ず、板状部１５ｄ，１５ｅに形成されている取付孔１５ｄ−２，１５ｅ−２を、固定子枠取付軸１ｂ，１ｃに嵌合させる。次に、フレキシブルプリント配線板１０に形成されている上記の取付孔を固定子枠取付軸１ｂ，１ｃに嵌合させ、且つ孔１０ａ，１０ｂ，１０ｃを端子ピン１５ａ−１，１５ｄ−１，１５ｅ−１に嵌合させておき、半田付けによって、コイル６，７をランドに接続する。そして最後に、固定子枠取付軸１ｂ，１ｃの先端を熱カシメし、固定子枠１５とフレキシブルプリント配線板１０を地板１に固定する。
【００５０】
以上のように、本実施例は、ヨーク１８，１９を、各々２部品で構成しなくてもよく、且つ固定子枠１５への取り付けも簡単であるという特徴を有している。尚、本実施例の作動は、実施例１の作動に準じて行なわれるので、その説明は省略する。
【図面の簡単な説明】
【００５１】
【図１】撮影待機状態を示した実施例１の正面図である。
【図２】フレキシブルプリント配線板を取り付ける前の状態を図１と同様にして示した正面図である。
【図３】実施例１の分解斜視図である。
【図４】図１の背面図である。
【図５】撮影終了直後の状態を示した背面図である。
【図６】撮影待機状態を図１と同様にして示した実施例２の正面図である。
【図７】フレキシブルプリント配線板を取り付ける前の状態を図１と同様にして示した正面図である。
【図８】図６の背面図である。
【符号の説明】
【００５２】
１                                  地板
１ａ，１２ａ，１１ｂ                開口部
１ｂ，１ｃ                          固定子枠取付軸
１ｄ，１ｅ                          回転子取付軸
１ｆ                                ＦＰＣ取付軸
１ｇ，１ｈ，２ｉ，２ｊ              逃げ孔
１ｉ，１ｊ                          羽根取付軸
１ｋ                                位置決めピン
１ｍ，１ｎ，１おｐ，１ｑ            ストッパ
１ｒ，１ｓ                          受け部
１ｔ，１ｕ，１ｖ，１ｗ              カバー板取付軸
１ｘ                                間座部
２                                  カバー板
２ｂ，２ｆ，２ｇ，２ｈ，１０ａ，１０ｂ，１０ｃ，１２ｂ    孔
２ｃ，２ｄ，２ｅ，５ａ−２，５ｄ−２，５ｅ−２，１０ｄ，１５ｄ−２，１５ｅ−２  取付孔
３，４                              回転子
３ａ，４ａ                          本体部
３ｂ，４ｂ                          腕部
３ｃ，４ｃ                          出力ピン
５，１５                            固定子枠
５ａ，１５ａ                        中間構成体部
５ａ−１，５ｄ−１，５ｅ−１，１５ａ−１，１５ｄ−１，１５ｅ−１    端子ピン
５ｂ，５ｃ，１５ｂ，１５ｃ          ボビン部
５ｄ，５ｅ，１５ｄ，１５ｅ          板状部
６，７                              コイル
８，９，１８，１９                  ヨーク
８ａ，９ａ                          基部
８ｂ，８ｃ，９ｂ，９ｃ              脚部
１０                                フレキシブルプリント配線板
１１                                絞り羽根
１１ａ，１２ａ                      長孔
１２                                シャッタ羽根
【図１】
2010085436.tif 000003
【図２】
2010085436.tif 000004
【図３】
2010085436.tif 000005
【図４】
2010085436.tif 000006
【図５】
2010085436.tif 000007
【図６】
2010085436.tif 000008
【図７】
2010085436.tif 000009
【図８】
2010085436.tif 000010